(57)【要約】【課題】停電時において避難誘導灯として機能する照明部を設けた照明付ドアセットを提供する。【解決手段】戸２と戸の周囲を囲む戸枠１０とからなるドアセットであって、戸枠１０には、室内側および／または室外側の領域に向かって光を放射する照明部３１を備えた照明手段３０が設けられており、照明部３１は、光を放射する光源部３２と、光源部３２の作動を制御する制御部３５と、を備えており、制御部３５は、停電時において、光源部３２が常時点灯した状態を維持し得る機能を有する。停電時に照明部３１から放射された光によってドアセットの室内側の領域が照らしだされるので、周囲が真っ暗な状況でも確実にドアセットの位置およびドアセット全体を視認できる、本発明の照明付ドアセット１の照明部３１が避難誘導灯として機能するので、人は避難行動を迅速かつスムースに行うことができる。【選択図】図１
2013185360.tif 000002
【特許請求の範囲】
【請求項１】
戸と該戸の周囲を囲む戸枠とからなるドアセットであって、
前記戸枠には、
室内側および／または室外側の領域に向かって光を放射する照明部を備えた照明手段が設けられており、
前記照明部は、
光を放射する光源部と、
該光源部の作動を制御する制御部と、を備えており、
前記制御部は、
停電時において、前記光源部が常時点灯した状態を維持し得る機能を有する
ことを特徴とする照明付ドアセット。
【請求項２】
前記照明部は、
前記光源部に電力を供給し得る電源部を備えており、
該電源部は、
外部電源に接続された受電部と、
該受電部に対して外部電源からの電力供給が中断したときに前記光源部に電力を供給する電池と、を備えている
ことを特徴とする請求項１記載の照明付ドアセット。
【請求項３】
前記戸枠には、
前記照明部を収容するための収容空間が形成されており、
前記照明手段は、
前記収容空間内に前記照明部が収容された状態において、前記光源部から放射された光を室内側の領域に向かって放出する透光部を備えている
ことを特徴とする請求項１または２記載の照明付ドアセット。
【請求項４】
前記透光部は、
前記戸枠に形成された開口に取り付けられた透過性を有する透光部材である
ことを特徴とする請求項３記載の照明付ドアセット。
【請求項５】
前記透光部は、
前記戸を閉じた状態において、該戸に対して上部に位置する前記戸枠の上枠下面に取り付けられている
ことを特徴とする請求項３または４記載の照明付ドアセット。
【請求項６】
前記照明手段は、
前記戸の状態を検知し、該戸の状態に対応した状態信号を送信する機能を有する戸状態検出部と、
前記戸に対して室外側の領域に向かって状況信号を発信する信号発信部と、を備えており、
前記制御部は、
前記戸状態検出部から送信された前記状態信号に基づいて前記信号発信部の作動を制御する機能を有する
ことを特徴とする請求項１，２、３、４または５記載の照明付ドアセット。
【請求項７】
前記照明手段は、
前記光源部から放射された光を室外側の領域に向かって放出する室外透光部を備えており、
該室外透光部と前記光源によって前記信号発信部が構成されている
ことを特徴とする請求項６記載の照明付ドアセット。
【発明の詳細な説明】
【技術分野】
【０００１】
本発明は、照明付ドアセットに関する。さらに詳しくは、停電などの緊急時に避難誘導灯として使用される照明機能を有する照明付ドアセットに関する。
【背景技術】
【０００２】
地震などの異常気象等の災害などが発生した場合、その影響により外部からの電力供給が停止する状況つまり停電が度々起こっている。とくに、近年では、大規模な地震災害により広範囲で長時間に渡って停電が発生するといったことが起こっている。そして、停電が起こった場合、建造物の内部は、歩行が困難になるくらい暗い状況となる。
【０００３】
学校や公共の建物やマンションなど不特定多数の人が集まる建造物においては、部屋（居室）にいる人を屋外まで誘導するための通路誘導灯や避難口誘導灯などの誘導灯が、廊下や階段などの天井や壁に複数設置されている。この通路誘導灯や避難口誘導灯は常時点灯しているので、停電時でも、内部にいる人は、かかる通路誘導灯や避難口誘導灯に沿って屋外へ避難等することができる。
【０００４】
一方、部屋（居室）内では、一般的に上述したような避難口誘導灯が設置されていないのが実情である。このため、災害などによる停電時では、灯りのない部屋（居室）内から、通路誘導灯のある廊下や階段などの室外へ迅速に移動するといった避難行動をとりにくい、という問題があった。
【０００５】
そこで、一般的な家屋などの居室内に配設可能な避難用の誘導灯が提案されている（例えば、特許文献１）。
【０００６】
特許文献１には、中空構造とされた扉枠の内部に、居室部内に設置される電気機器のための制御装置を組み込んだ多機能ドアセット枠であって、このドアセット枠の内部に、居室側に設置される避難誘導灯を接続するための端子を組み込んだ技術が開示されている。この多機能戸枠では、端子を避難誘導灯と接続し避難誘導灯を戸枠の居室側の上部表面に取り付ければ、簡単に避難誘導灯を設置することができる。
【先行技術文献】
【特許文献】
【０００７】
【特許文献１】特開平８−２１１６５号公報
【特許文献２】特開２０１０−１０６６０１号公報
【発明の概要】
【発明が解決しようとする課題】
【０００８】
しかるに、特許文献１の多機能戸枠では、戸枠の内部に制御装置は組み込まれているが、避難誘導灯自体は戸枠の居室側の上部表面に取り付けられている。つまり、壁面に取り付ける一般的な避難誘導灯を、戸枠の居室側の表面に取り付けただけのものである。そして、この多機能戸枠に取り付けられた避難誘導灯は、単なる避難口を位置案内する機能を有するだけのものである。このため、戸の室内側の面に設けられたドアノブや鍵などの位置では、十分な光量が得られない。
また、特許文献１の多機能戸枠では、上述したように避難誘導灯を取り付けるために上部を通常の戸枠に比べて幅広の特殊な形状にする必要があるので、既存の扉の戸枠を多機能戸枠に変更することは困難である。しかも、避難誘導灯が戸枠表面に取り付けられており、避難誘導灯は視認できる状態になっているから、外観上もすっきりとしない。
【０００９】
そこで、扉に照明灯を設け、この照明灯を視認できないようにした技術が提案されている（例えば特許文献２）。特許文献２の足元照明付ドアでは、戸枠の戸当り部に設けられた気密材の内部に照明灯を設けた技術が開示されている。この足元照明付ドアは、戸を閉じた状態において、照明灯が戸枠の戸当り部に設けられているので外部から見えない状態にすることができる。しかし、戸を閉じた状態では、かかる照明灯を点灯させても外部に光を十分に供給できないので、この足元照明付ドアの照明灯では、照明灯を避難誘導灯としては機能させることができない。しかも、この足元照明灯には、ドアの開閉によって衝撃力がかかるので、故障や破損などが生じやすく耐久性が低い、といった問題がある。
【００１０】
本発明は上記事情に鑑み、戸枠に設けられた照明部によって戸の室内側の領域を確実に照らしだすことができ、停電時においても確実に照明部を常時点灯した状態に維持できる照明付ドアセットを提供することを目的とする。
【課題を解決するための手段】
【００１１】
第１発明の照明付ドアセットは、戸と該戸の周囲を囲む戸枠とからなるドアセットであって、前記戸枠には、室内側および／または室外側の領域に向かって光を放射する照明部を備えた照明手段が設けられており、前記照明部は、光を放射する光源部と、該光源部の作動を制御する制御部と、を備えており、前記制御部は、停電時において、前記光源部が常時点灯した状態を維持し得る機能を有することを特徴とする。
第２発明の照明付ドアセットは、第１発明において、前記照明部は、前記光源部に電力を供給し得る電源部を備えており、該電源部は、外部電源に接続された受電部と、該受電部に対して外部電源からの電力供給が中断したときに前記光源部に電力を供給する電池と、を備えていることを特徴とする。
第３発明の照明付ドアセットは、第１または第２発明において、前記戸枠には、前記照明部を収容するための収容空間が形成されており、前記照明手段は、前記収容空間内に前記照明部が収容された状態において、前記光源部から放射された光を室内側の領域に向かって放出する透光部を備えていることを特徴とする。
第４発明の照明付ドアセットは、第３発明において、前記透光部は、前記戸枠に形成された開口に取り付けられた透過性を有する透光部材であることを特徴とする。
第５発明の照明付ドアセットは、第３または第４発明において、前記透光部は、前記戸を閉じた状態において、該戸に対して上部に位置する前記戸枠の上枠下面に取り付けられていることを特徴とする。
第６発明の照明付ドアセットは、第１，２、第３、第４または第５発明において、前記照明手段は、前記戸の状態を検知し、該戸の状態に対応した状態信号を送信する機能を有する戸状態検出部と、前記戸に対して室外側の領域に向かって状況信号を発信する信号発信部と、を備えており、前記制御部は、前記戸状態検出部から送信された前記状態信号に基づいて前記信号発信部の作動を制御する機能を有することを特徴とする。
第７発明の照明付ドアセットは、第６発明において、前記照明手段は、前記光源部から放射された光を室外側の領域に向かって放出する室外透光部を備えており、該室外透光部と前記光源によって前記信号発信部が構成されていることを特徴とする。
【発明の効果】
【００１２】
第１発明によれば、停電時において、照明部から放射された光によってドアセットの室内側および／または室外側の領域が照らしだされるので、周囲が急に真っ暗な状況になっても、確実にドアセットの位置およびドアセット全体を視認できる。すると、本発明の照明付ドアセットの照明部が避難誘導灯として機能するので、人は安全確保等のため室外へ移動するなどの避難行動を迅速かつスムースに行うことができる。とくに、かかるドアセットを玄関ドアセットとして使用する場合、照明部から放射された光によって、室内側の領域、つまり、戸の片側の面に対して玄関側の領域が照らしだされるので、解錠等をより迅速に行うことができ、しかも、靴などを迅速かつ確実に履くことができるから、より迅速かつ安心して室外に移動することができる。
第２発明によれば、外部電源から供給される電力を受電部によって受信し光源部に電力を供給することによって光源部を点灯させることができる。しかも、電源部は電池を備えているので、外部電源からの電力供給が中断したとき、つまり停電時でも、この電池から供給される電力によって光源部を常時点灯させることができる。したがって、平常時には通常の照明として使用でき、停電時、つまり非常時では避難誘導灯として機能させることができる。
第３発明によれば、照明部を外部に露出させない状態でも、光源部から放射された光を透光部から室内に放出できる。つまり、戸枠に照明手段を設けても、照明部を外部から見えない状況にできるので、ドアセットの外観をすっきりとさせることができる。また、透光部を配置する位置を調整するだけで、光を照射する位置を調整できる。
第４発明によれば、光源から放射された光を戸枠に取り付けられた透光部を通過させるだけの構造であるので、構造を簡単にすることができる。
第５発明によれば、戸を閉じた状態において、戸の室内側の面を上方から下方に向かって照らしだすことができるので、戸の室内側の面のほぼ全体を効率よく照らしだすことができる。すると、停電等によって周囲が真っ暗な状況になった場合でも、戸に設けられたドアノブや鍵の位置など戸の細部を確実に視認することができる。しかも、戸に放射された光は、戸の室内側の面で室内側の領域に向かって反射される。つまり、透光部から放出された光の一部が間接照明光となって室内側の領域が照らしだされる。このため、透光部から放出された直射光と戸の室内側の面で反射した間接照明光によってドアセットの室内側の領域をより明るく照らしだすことができる。
第６発明によれば、戸の開閉状態を検出した戸状態検出部から送信された状態信号に基づいて信号発信部が作動するので、人の移動状況を信号発信部が発信する状況信号によって確認できる。すると、この状況信号によって、室外の人は、室内の人の移動状況、例えば、室外への避難などを行なった否かを一瞬にして確認することができる。
第７発明によれば、信号発信部を設けるための特別な構造も不要となるので、構造を簡単にすることができる。
【図面の簡単な説明】
【００１３】
【図１】本実施形態の開戸タイプの照明付ドアセット１の概略正面図である。
【図２】本実施形態の開戸タイプの照明付ドアセット１の概略縦断面図とその要部概略拡大図である。
【図３】（Ａ）は本実施形態の開戸タイプの照明付ドアセット１の照明手段３０の概略ブロック図であり、（Ｂ）は制御部３５が開閉検出部を備えており、電源部３３が受電部33aを備えた概略ブロック図である。
【図４】本実施形態の開戸タイプの照明付ドアセット１の戸枠の上枠２０を下方から見たときの概略説明図であって、（Ａ）は透光プレート４０が取り付けられた状態の概略説明図であり、（Ｂ）は透光プレート４０から光放出部４２を取り外した状態の概略説明図である。
【図５】本実施形態の開戸タイプの照明付ドアセット１を建造物に取り付けた状態において、停電が発生したときの概略説明図である。
【図６】本実施形態の開戸タイプの照明付ドアセット１を建造物に取り付けた状態において、平常時の使用状況を説明した概略説明図であり、（Ａ）は照明付ドアセット１の室内側の上部概略説明図であり、（Ｂ）は照明付ドアセット１の上部の要部断面概略図である。
【図７】本実施形態の開戸タイプの照明付ドアセット１を建造物に取り付けた状態の概略説明図であり、（Ａ）は室内側の概略説明図であり、（Ｂ）は室外側の概略説明図である。
【図８】信号発信部を備えた開戸タイプの照明付ドアセット１の要部概略縦断面拡大図である。
【図９】本実施形態の開戸タイプの照明付ドアセット１を既設戸枠ＥＦに取り付けた状態の概略説明図である。
【図１０】引戸タイプの照明付ドアセット１Ｂを建造物に取り付けた状態において、停電が発生したときの概略説明図である。
【図１１】引戸タイプの照明付ドアセット１Ｂの概略断面図である。
【発明を実施するための形態】
【００１４】
つぎに、本発明の実施形態を図面に基づき説明する。
本発明の照明付ドアセットは、マンション等の集合住宅の住戸や戸建住宅などに設けられる戸と戸枠からなるドアセットであって、停電時において避難誘導灯として機能する照明部を設けたことに特徴を有する。
【００１５】
なお、以下では、本発明の照明付ドアセットをマンション等の集合住宅などの住戸に配設される場合を説明するが、本発明の照明付ドアセットを配設する場所は、マンション等の集合住宅などの住戸に限定されない。例えば、戸建住宅や病院、オフィスビル、ホテルなどの建造物であれば設置することが可能である。
また、本願明細書の避難誘導灯とは、停電時でも人が住戸などの居室内から住戸の外まで移動する際にドア（戸を含む）や廊下、通路などを移動可能な程度に照らしだすことができる照明器具のことをいう。
さらに、明細書中のドアセットとは、居室や部屋の内外または屋内と屋外など一の空間とこれに隣接する他の空間とを連通する出入口に設けられた開閉可能な部材一式をいう。例えば、戸枠に対して揺動可能に設けられた戸を有する開戸タイプや、天井または下り壁に取り付けられた上枠の長手方向に沿って左右に開閉可能に設けられた戸を有する引戸タイプなどのドアセットいずれも含む概念である。
【００１６】
（開戸タイプの照明付ドアセット１の説明）
つぎに、本実施形態の照明付ドアセット１を説明する。
まず、以下では、開戸タイプの照明付ドアセット１について説明する。
本実施形態の照明付ドアセット１は、戸２と、この戸２を囲む戸枠１０と、戸枠１０に設けられた照明手段３０と、を備えている。
まず、本実施形態の照明付ドアセット１の特徴である照明手段３０について説明する前に、本実施形態の照明付ドアセット１の戸２と戸枠１０の概略について、説明する。
【００１７】
（戸枠１０の説明）
図１に示すように、戸枠１０は、平面視略長方形に形成され、その内部に外径と略相似形の開口部10hを有する部材である。
【００１８】
具体的には、戸枠１０は、縦枠１１，１２と、縦枠１１，１２の上端部間を連結するように配設された上枠２０と、縦枠１１，１２の下端部間を連結するように配設された下枠１３と、を備えている。つまり、縦枠１１、１２と上枠２０および下枠１３で囲まれた空間に開口部10hが形成されており、この開口部10hが後述する戸２が取り付けられる部分である。言い換えれば、開口部10hを塞ぐように戸２が取り付けられているのである。
【００１９】
（戸２の説明）
図１に示すように、戸２は、平面視略長方形に形成された略板状の部材である。具体的には、戸２は、戸枠１０の開口部10hと略相似形であって、その大きさが戸枠１０の開口部10hよりもやや小さくなるように形成されたものである。
この戸２は、連結手段によって戸枠１０に設けられている。具体的には、戸２は、一の側端部と戸枠１０との間に設けられた連結手段によって一の側端部を支点として水平方向に揺動可能に設けられている。つまり、戸２を一の側端部を支点として水平方向に揺動させることによって、戸２を開閉することができるのである。
【００２０】
なお、戸枠１０の形状は、上記形状に限定されず、戸枠１０を設置する場所や戸２の形状などに応じて適宜適切な大きさとすることができる。例えば、戸２が平面視で略正方形であれば、平面視で略正方形にしてもよい。
【００２１】
また、上述した連結手段は、戸枠１０に対して揺動することができるように戸２を戸枠１０に連結するものであればとくに限定されず、例えば、ヒンジや蝶番などを採用することができる。
また、戸２には、取っ手やドアノブなどの把手手段や、鍵、ドアガードなどの施錠手段などを設けてもよいのは、言うまでもない。
【００２２】
（照明手段３０の説明）
つぎに、本実施形態の照明付ドアセット１の照明手段３０について、説明する。
【００２３】
照明手段３０は、上述した戸枠１０に設けられており、光を放射する照明部３１を備えている。この照明部３１は、本実施形態の照明付ドアセット１を住戸等に配設した状態において、放射された光が戸２の片側の面に対して照射されるように、言い換えれば、放射された光によって室内側の領域を照らしだすように戸枠１０の上枠２０に設けられている。
【００２４】
図３に示すように、照明部３１は、光を放射する光源部３２と、光源部３２への電力の供給をする電源部３３と、光源部３２と電源部３３の間に設けられ光源部３２の作動を制御する制御部３５と、を備えている。
【００２５】
（光源部３２について）
光源部３２は、電源部３３から供給された電力によって光を放射する光源を備えている。この光源は、光を放射することができるものであればとくに限定されず、例えば、ＬＥＤや電球、有機ＥＬ、蛍光灯などを採用することができる。
【００２６】
（電源部３３について）
電源部３３は、光源部３２と電気的に接続したときに光源部３２に電力を供給する機能を備えたものである。具体的には、電源部３３は、光源部３２に電力を供給することができる電池33bを備えている。
なお、電池33bは、光源部３２に電力を供給することができるものであればとくに限定されず、例えば、乾電池などの一次電池や充電可能な二次電池などを採用することができる。
【００２７】
（制御部３５について）
図３に示すように、制御部３５は、光源部３２の作動を制御する機能を有する光源制御部と、商用電源などの外部電源の状況を検出する機能を有する停電検出部と、を備えている。
【００２８】
停電検出部は、商用電源などの外部電源の状況を検出し、かかる状況を信号として後述する光源制御部へ送信する機能を有するものであり、例えば、電圧低下や停電または瞬間停電などを検出可能な停電検出器や電圧継電気などを採用することができる。
【００２９】
光源制御部は、上述したように光源部３２の作動、例えば、光源部３２への電力供給のタイミングや光源部３２から放射される光の光量や、照度、点灯時間、消灯時間などを制御するものである。この光源制御部は、上述した停電検出部からの検出信号を受信し、かかる信号に基づいて光源部３２の作動を制御する機能を有している。
例えば、光源制御部は、停電検出部からの信号に基づいて外部電源の状況、例えば、停電が発生しているか否かを判断する。そして、停電が発生していると判断した場合、電源部３３の電池33bと光源部３２を連通する。つまり、両者を電気的に接続するのである。一方、光源部３２に対しては、光源部３２が放射する光を常時点灯した状態に維持するような命令信号を送信するのである。
なお、光源制御部は、上述したような光源部３２を制御することができるものであればとくに限定されず、一般的な光源に使用されるものを採用することができる。
【００３０】
以上のごとき構成であるので、本実施形態の照明付ドアセット１を住戸等に配設した状態において、戸枠１０に設けられた照明部３１の光源部３２から放射された光によって、戸２の片側の面および戸２に対して室内側の領域を照らしだすことができる。
しかも、照明部３１は、その光源部３２から放射された光によって、室内側の領域が照らしだされるように戸２の片側の面に対して光を照射することができるように戸枠１０の上枠２０に設けられている。すると、戸２を閉じた状態において、上枠２０に設けられた光源部３２から放射された光によって、上枠２０の近傍に位置する戸２の室内側の面を、その上端部から下方に向かって照らしださすことができる。つまり、戸２の室内側の面および戸２に対して室内側の領域を照らしだすことができるのである。
【００３１】
以上のごとき、本実施形態の照明付ドアセット１を、マンション等の集合住宅などの住戸の玄関に取り付けた状態を図５に基づいて説明する。
【００３２】
図５において、符号ＥＷは住戸の玄関出入口壁を示している。まず、玄関出入口壁ＥＷに玄関の室内側（図５では紙面に対して手間側）と外側とを連通するドアセット取付開口部Ｅｈを形成する。このドアセット取付開口部Ｅｈは、本実施形態の照明付ドアセット１の戸枠１０の外径と平面視略相似形であり、本実施形態の照明付ドアセット１の戸枠１０の外径よりもやや大きくなるように形成する。そして、このドアセット取付開口部Ｅｈ内に本実施形態の照明付ドアセット１の戸枠１０を配置して戸枠１０とドアセット取付開口部Ｅｈを囲む玄関出入口壁ＥＷの端面を固定部材によって固定する。
【００３３】
なお、固定部材は、戸枠１０とドアセット取付開口部Ｅｈを囲む玄関出入口壁ＥＷの端面を連結し固定するものであればとくに限定されず、例えば、モルタルや溶接、釘などを採用することができる。
【００３４】
そして、ドアセット取付開口部Ｅｈ内に戸枠１０を固定した状態において、戸２の一の側端部を連結手段によって戸枠１０の縦枠１１に連結し、戸２を戸枠１０内の開口部10hに取り付ける。
【００３５】
上記のごとく玄関に配設された本実施形態の照明付ドアセット１の戸枠１０の上枠２０には、上述したように、照明手段３０の照明部３１が、光源部３２から放射された光によって玄関の室内側の領域を照らしだすように設けられている。
【００３６】
しかも、停電時では、光源部３２が、制御部３５によって常時点灯した状態を維持するように制御されている。以下、この制御機構について説明する。
【００３７】
制御部３５の光源制御部が停電検出部からの検出信号に基づいて停電が発生していると判断した場合、光源制御部は、電源部３３の電池33bと光源部３２を電気的に接続し、かつ、光源部３２に対しては、放射する光を常時点灯した状態に維持する信号を送信する。
すると、停電時において、戸枠１０の上枠２０に設けられた照明部３１の光源部３２から放射された光によって戸２の室内側の領域が照らしだされた状態に維持されるので、周囲が急に真っ暗な状況になっても、人は戸２の位置および戸２全体を確実に視認できる。そうする、本発明の照明付ドアセット１の照明手段３０の照明部３１が避難誘導灯として機能するので、人は安全確保等のため室外へ移動するなどの避難行動を迅速かつスムースに行うことができる。
【００３８】
しかも、上述したように、本発明の照明付ドアセット１を玄関ドアセットとして使用する場合、停電となっても照明部３１の光源部３２から放射された光によって、室内側の領域、つまり、戸２の玄関側の面および戸２に対して玄関側の領域が照らしだされる。すると、戸２の玄関側の面を視認できる明るさに照らしだされるので、解錠等をより迅速に行うことができる。しかも、戸２に対して玄関側の領域も視認できる明るさに照らしだされるので、靴などを迅速かつ確実に履くことができるから、より迅速かつ安心して玄関から屋外（室外）に移動することができる。
【００３９】
上記例では、本実施形態の照明付ドアセット１を玄関に取り付けた場合を説明したが、取り付ける場所はとくに限定されず、玄関から離れた場所、例えば、屋内の居室に本実施形態の照明付ドアセット１を取り付けてもよい。この場合、本実施形態の照明付ドアセット１の戸２は、戸２を閉じた状態において、玄関に近い片側の面が室外側の領域に位置する面に相当し、他の片側の面が室内側の領域に位置する面に相当する。
【００４０】
すると、夜間、寝室となる居室に人が寝ている場合に地震等が発生し停電となった状態において、かかる居室のドアセットとして本実施形態の照明付ドアセット１が取り付けられていれば、本実施形態の照明付ドアセット１の照明部３１の光源部３２から放射された光によって室内側の領域、つまり、居室内の領域が照らしだされる。そうすると、戸２の居室側の面が視認できる明るさに照らしだされるので、人は、夜間の突然の停電であっても、慌てることなく安心して避難することができる。
しかも、本実施形態の照明付ドアセット１の照明部３１は、平常時でも点灯した状態に維持される一般的な避難誘導灯（例えば、通路誘導灯や避難口誘導灯など）とは異なり、停電時だけ常時点灯した状態となるので、本実施形態の照明付ドアセット１を寝室としての居室に取り付けても、照明部３１の光によって睡眠が妨害されないという利点が得られる。
【００４１】
また、照明部３１は、商用電源などの外部電源から供給された電力を利用して、平常時においても、光源部３２を点灯等させることができる構成を備えているのが、好ましい。
具体的には、図３（Ｂ）に示すように、電源部３３は、例えば、ＡＣ／ＤＣコントローラなどのように商用電源などの外部電源から供給された交流電力を受電し、受電した交流電力を光源部３２が利用可能な直流電力に変換し得る機能を有し、かつ、光源部３２に対して直流電力を供給する受電部33aを備えている。また、制御部３５の光源制御部は、外部電源から受電部33aに交流電力が供給されている状況、つまり、平常時では、受電部33aと光源部３２とを導通、つまり、両者を電気的に接続する機能を備えている。
【００４２】
以上のごとき構成であるので、平常時では、外部電源から供給される交流電力を受電部33aで受電し直流電力に変換した後、光源部３２に供給される。すると、平常時では、受電部33aから供給された直流電力と制御部３５によって、光源部３２を所望の条件で点灯等させることができる。
例えば、図６に示すように、戸２を閉じた状態から戸２を開けた場合、制御部３５に設けられた開閉検出部（図３（Ｂ）参照）に基づいて戸２を開けたときに所定の時間光源部３２を点灯させるような構成としてもよい。つまり、平常時では、照明部３１を一般的な照明として機能させることができるのである。
一方、停電時では、光源部３２は、上述したように電源部３３の電池33bから電力が供給されるとともに、制御部３５の光源制御部によって常時点灯した状態を維持するように制御される。
したがって、本実施形態の照明付ドアセット１の照明手段３０の照明部３１は、平常時には通常の照明として使用でき、停電時、つまり非常時では避難誘導灯として機能させることができる。
【００４３】
なお、開閉検出部は、戸２の開閉状態を検出することができる機能を備えたものであればとくに限定されず、一般的なドアセットに使用されるマグネットセンサーやドアスイッチ、光センサーなどを採用することができる。
【００４４】
（収容空間22hの説明）
本発明の照明付ドアセット１において、照明手段３０の照明部３１は、戸２よりも上方の戸枠１０に取り付けられていれば、上記のごとき機能を果たすが、照明部３１が上枠２０の内部に収容された状態で取り付けられていると、好ましい。
【００４５】
とくに、戸枠１０の大きさが従来の戸枠と略同一の大きさであれば、既設のドアセットを本実施形態の照明付ドアセット１に置き換える場合、既設のドアセットと置換するだけで上記のごとき機能を備えたドアセットを設置することができる。
また、本実施形態の照明付ドアセット１の戸枠１０の外径が既設の戸枠の内径と同等になるように形成していれば、既存のドアセットの戸を取り外した状態において、既設の戸枠内に本実施形態の照明付ドアセット１の戸枠１０を配置し、本実施形態の照明付ドアセット１の戸枠１０を既設の戸枠に固定するだけで、本実施形態の照明付ドアセット１を設置することができる。すると、既設のドアセットから戸だけを取り外せば、本実施形態の照明付ドアセット１の照明部３１を設置することができるので、設置作業を容易に行うことができる。
以下、既設の戸枠がそのままの状態で本実施形態の照明付ドアセットを取り付ける場合について、より詳細に説明する。
【００４６】
（既設戸枠ＥＦへの照明付ドアセット１の取付方法の説明）
図９において、符号ＥＦは住戸の玄関出入口壁ＥＷに取り付けられた既設の戸枠（以下、単に既設戸枠という）を示している。
まず、玄関出入口壁ＥＷに配置されている既設の戸を既設戸枠ＥＦから外す。そして、この残った既設戸枠ＥＦに本実施形態の照明付ドアセット１の戸枠１０を取り付ける。なお、既設戸枠ＥＦに戸枠１０を取り付ける方法は、とくに限定されず、例えば、ビスなどの連付部材によって連結してもよいし、溶接などによって連結固定してもよい。
【００４７】
例えば、図９（Ｂ）に示すように、上枠２０を既設戸枠ＥＦに下方から嵌めこむように取り付ける。つまり、フレーム本体部２１の背面部の内側面と既設戸枠ＥＦの表面が接するように嵌めこむように取り付ける。そして、フレーム本体部２１の背面部と既設戸枠ＥＦをビスによって連結する。同様に他の枠も対応する既設戸枠ＥＦの各枠に同様にして取り付ける。すると、図９（Ａ）に示すように、上述したように既設のドアセットから戸だけを取り外すだけで、本実施形態の照明付ドアセット１を設置することができる。なお、フレーム本体部２１の背面部の詳細については後述する。
なお、電源部３３と商用電源を電気的に接続するように電源部３３に対して外部から配線をしてもよいし、電源部３３に設けられた電池33bだけで光源部３２等を作動させてもよい。
【００４８】
以下では、上枠２０内に照明部３１を配設した場合について、詳細に説明する。
【００４９】
図２に示すように、上枠２０は、板状の部材によって略コの字状に形成されたフレーム本体部２１と、このフレーム本体部２１の下面に沿って内部に中空な空間を有する略矩形状の突出部２２と、を備えている。
【００５０】
フレーム本体部２１は、その両端部が上述した縦枠１１、１２の上端部に連結された状態において、その開口が戸枠１０の上方（図２では上方）に向かうように形成されたものである。
なお、この開口が形成された面、つまり、フレーム本体部２１の背面部（図２では上方に向かって開口を有する面）は、上述したように、住戸の玄関に本実施形態の照明付ドアセット１を配設した場合、ドアセット取付開口部Ｅｈを囲む玄関出入口壁ＥＷの内端面と略接するように配設される部分である。
【００５１】
突出部２２は、その幅（図２では、左右方向）がフレーム本体部２１の幅（図２では、左右方向）よりも小さくなるように形成されており、室内側（図２では紙面の右側）の側壁とフレーム本体部２１の室内側の側壁が略面一となるようにフレーム本体部２１に連結されている。つまり、上枠２０には、断面視において、室外側から室内側に向かって逆階段状に段差が形成されているのである。この段差は、戸２を閉めたときに戸２の上端部と当接するように形成されている。つまり、突出部２２は戸当部としても機能するように設けられているのである。なお、突出部２２の室外側の面には、戸２との干渉部材として柔軟性を有するシーリング部材25cが設けられている。
【００５２】
（突出部２２の詳細な説明）
以下、突出部２２についてより詳細に説明する。
図２に示すように、突出部２２は、フレーム本体部２１の表面に連結した上壁２３と、この上壁２３の下方に設けられた下壁２４と、上壁２３と下壁２４の間に配設された室外側壁２５および室内側壁２６と、を備えており、隣接する各壁の端部同士が連結されている。つまり、突出部２２は、その内部に上壁２３と下壁２４と室外側壁２５および室内側壁２６で囲まれた中空な空間（以下、収容空間22hという）を有しているのである。
【００５３】
また、図２および図４に示すように、突出部２２の下壁２４には、内部と外部とを連通する開口部24hが形成されている。
図４に示すように、この開口部24hは、その形状が略長方形であり、その長手方向の軸が突出部２２の長手方向（図４では、紙面の左右方向）の軸と略平行になるように形成されている。例えば、開口部24hは、その長さが突出部２２の長さのほぼ３分の１であり、突出部２２のほぼ中央部に位置するように形成されている。
【００５４】
以上のごとき構造であるので、図４に示すように、照明部３１を突出部２２の下壁２４に形成された開口部24hから収容空間22h内に挿入すれば、照明部３１を戸枠２０の突出部２２内の取付部に取り付けることができる。
具体的には、光源部３２を、収容空間22h内において開口部24hの上方近傍、かつ光源部３２から放射された光が開口部24hを通って外方に放出されるように収容空間22h内の取付部に取り付ける。
すると、図５に示すように、照明部３１を戸枠１０の外部に露出させない状態でも、光源部３２から放射された光を室内側の領域に向かって放出させることができる。しかも、図１，５または図７に示すように、戸枠１０に照明手段３０を設けても、照明部３１を外部から見えない状況にできるので、本実施形態の照明付ドアセット１の外観をすっきりとさせることができる。
【００５５】
しかも、図５に示すように、停電時では、戸２を閉じた状態において、照明手段３０が備えた照明部３１の光源部３２からの光によって戸２の室内側の面を上方から下方に向かって照らしだすことができる。つまり、戸２の室内側の面のほぼ全体を効率よく照らしだすことができるのである。すると、停電等によって周囲が真っ暗な状況になった場合でも、戸２に設けられたドアノブや鍵の位置など戸２の細部を確実に視認することができる。
【００５６】
また、照明部３１の光源部３２は、その光源から放射された光が開口部24hを通って外方に放出されるように取り付けられていれば、光源部３２と開口部24hとの相対的な位置関係はとくに限定されない。
【００５７】
例えば、照明部３１を突出部２２の収容空間22h内に収容した状態において、照明部３１の光源部３２の光軸が、開口部24hの中心軸を含みかつ開口部24hの端縁によって形成された面（以下、開口面という）と略直交するように取り付けられていれば、戸２の室内側の面と、かかる面に対する室内側の領域に突出部２２の開口部24hからほぼ均等に光を放出させることができる。すると、上述したように、戸２の室内側の面を戸２の上端部から下端部に向かって全体的を確実に照らし出すことができ、かつ、室内側の領域も確実に照らしだすことができるので、好適である。
【００５８】
しかも、突出部２２の開口部24hから放出された光のうち戸２に放射された光は、戸２の室内側の面で室内側の領域に向かって反射される。つまり、開口部24hから放出された光の一部が間接照明光となって室内側の領域が照らしだされる。このため、開口部24hから放出された直射光と戸の室内側の面で反射した間接照明光によってドアセットの室内側の領域をより明るく照らしだすことができる。
【００５９】
一方、照明部３１の光源部３２を、光源部３２の光軸が戸２の室内側の面に向かうように配設すれば、開口部24hから放出された光によって戸２の室内側の面をより明るく照らしだすことができる。
また、その逆に、照明部３１の光源部３２を、光源部３２の光軸が戸２の室内側の面から離れる、つまり、光源部３２から放射された光が戸２の室内側の面からより離れた領域まで到達するように、配設すれば、戸２の室内側の面からより遠くの室内側の領域に向かって開口部24hから放出された光を放出させることができる。すると、戸２の室内側の面からより遠くの室内側の領域を照らしだすことができる。
【００６０】
なお、上記例では、光源部３２の位置を調整することによって開口部24hから放出される光を調整した場合について説明したが、光源部３２の位置を固定し開口部24hの位置を調整して開口部24hから放出される光を調整してもよい。
【００６１】
（透光部の説明）
突出部２２の下壁２４には、光を透過する部材で形成された透光プレート４０を開口部24hを塞ぐように設けてもよい。
透光プレート４０は、突出部２２の収容空間22h内に照明部３１を収容した状態において、光源部３２から放射された光を透過して外部に放出することができるものであればとくに限定されない。
例えば、図４に示すように、透光プレート４０を、光源部３２から放射された光を透過して外部に放出する光放出部４２と、この光放出部４２を囲む本体プレート４１とから形成してもよい。
【００６２】
つまり、この光放出部４２を、平面視略長方向に形成し、その長手方向の軸が透光プレート４０の長手方向の軸と並行になるように形成する。すると、開口部24hは、その長手方向の軸が突出部２２の長手方向の軸と平行になるように形成されているので、透光プレート４０は、その長手方向の軸が突出部２２の長手方向の軸と並行になるように取り付けることができる。そうすると、光放出部４２をその長手方向の軸が突出部２２の長手方向の軸と並行になるように取り付けることができる。このため、透光プレート４０の光放出部４２から放出された光を、突出部２２の軸方向に沿って綺麗に戸枠１０の上枠２０下面から下方に向かって放出させることができる。
【００６３】
しかも、光源部３２から放射された光を透光プレート４０の光放出部４２を通過させるので、光源部３２から放射された直射光を外部に放出させない。このため、人が本実施形態の照明付ドアセット１近傍に近づいても直射光が直接目に入らないので、目がくらむような症状が引き起こされないから、停電時でも、人はよりスムースに避難行動等を行うことができる。
【００６４】
さらに、本体プレート４１によって、照明部３１の電源部３３や制御部３５などを隠すことができるので、上枠２０を下方から見たときでもすっきりとさせることができる。すると、本実施形態の照明付ドアセット１の外観をよりすっきりとさせることができる。
【００６５】
また、本体プレート４１によって、開口部24hを完全に閉じているので、収容空間22h内にゴミや埃が侵入するのを防止できる。すると、容空間22h内に取り付けられた照明部３０の光源部３２や制御部３５等が埃等によって生じる接触不良やショートなどの不具合を確実に防止することができる。
【００６６】
なお、上記開口部24hに設けられた透光プレート４０が、特許請求の範囲にいう透光部に相当する。すると、本実施形態の照明付ドアセット１は、その光源部３２の光源から放射された光を上枠２０の突出部２２に取り付けられた透光部を通過させるだけの構造であるので、構造を簡単にすることができる。
【００６７】
上述したように、透光プレート４０の光放出部は、光を透過することができればとくに限定されないが、その表面から外部に放出される光の強度の位置による差が小さくなるように構成されているのが、好ましい。つまり、光放出部４２の表面から放出される光が均一になるように構成されていることが、好ましい。かかる構成としては、例えば、光放出部４２として拡散板などを採用することができる。
とくに、光源部３２の光源としてＬＥＤを採用した場合、光放出部４２として拡散板を使用すれば、指向性が高いＬＥＤから放射された光を光放出部４２で受光し、光放出部４２の表面から均一な光として放出することができる。
【００６８】
また、光源部３２の光源としてＬＥＤを採用した場合、以下のような構成とするのが、好ましい。
【００６９】
（ＬＥＤ光源部32aの説明）
光源部３２として、帯状の部材であって、この帯状の部材の表面に長手方向（図４では紙面の左右方向）に沿ってＬＥＤを光源としたＬＥＤ光源部32aが複数、一列または複数列に並んで配設された構成とする（図４（Ｂ）参照）。
具体的には、各ＬＥＤ光源部32aが、帯状の部材の長手方向に沿って約１０ｍｍ〜３０ｍｍ間隔を開けてほぼ一列または複数列に配置されるように形成する。
すると、所定の間隔でＬＥＤ光源部32aが配設されているので、個々のＬＥＤ光源部32aから放射される光の重なりが小さくなるから、少ないＬＥＤ光源部32aでより効率良く透光プレート４０の光放出部４２から光を放出させることができる。
なお、ＬＥＤは、その形状などによって、照射距離や配光特性が異なる。例えば、ＬＥＤが板状の場合、その配向性が約１２０度であるので、隣接するＬＥＤ光源部32a間の距離を約３０ｍｍにしても、透光プレート４０に対してほぼ均等に光を照射することができる（図４（Ｂ）参照）。
【００７０】
しかも、帯状の部材上に複数のＬＥＤ光源部32aが設けられているので、かかる構成の光源部３２を突出部２２内の取付部に取り付けるだけで、一度に複数のＬＥＤ光源部32aを突出部２２内に取り付けることができる。すると、ＬＥＤ光源部32aだけをそれぞれ別個に突出部２２内の取付部に取り付ける必要もないので、取付作業工数を少なくすることができる。
【００７１】
さらに、光源部３２をその長手方向（図４では左右方向）の軸が突出部２２の長手方向（図４では左右方向）の軸に並行となるように収容空間22h内に取り付けることができるので、光源部３２の各ＬＥＤ光源部32aと透光プレート４０の光放出部４２との相対的な位置関係がほぼ同じ状況とすることができる。すると、透光プレート４０の光放出部４２から突出部２２の軸方向に沿って均一かつ綺麗な光を放出させることができる。
【００７２】
また、ＬＥＤ光源部32aは、その消費電力が小さく、かつ長寿命であるので、長期間光源を交換することなく使用できるから、メンテナンスをする上で、好ましい。
例えば、消費電力が3.5V（20ｍＡ）のＬＥＤ光源部32aを５コ配設した場合、電源部３３の電池33bとして1.2V（1,900mAh）の一次電池を使用すれば、停電時でも、透光プレート４０の光放出部４２から放出された光によって床面を約２ルクス程度の明るさで照らしだすことができ、しかも、かかる状態を少なくとも１９時間継続するように光源部３２が点灯した状態を維持させることができる。
【００７３】
個々のＬＥＤ光源部32aは、導電性基板と、この導電性基板上に連結されたＬＥＤ素子とから構成することもでき、このとき隣接するＬＥＤ光源部32a間は帯状の部材上に配設された導線によって電気的に接続することができる（図４（Ｂ）参照）。
【００７４】
例えば、図４に示すように、導電性基板は、約３〜６ｍｍ四方の略正方形であり、ＬＥＤ素子は、直径約２〜４ｍｍの略円形であり、両者を重ねあわせた状態の厚さが約２〜４ｍｍとなるように形成してもよいが、その形状および大きさは、とくに限定されない。
【００７５】
なお、ＬＥＤ素子を直接、回路基板上に配設した構成を採用してもよい。回路基板としては、例えば、縦５〜３５ｍｍ、横約５０〜３００ｍｍのものを採用することができる。
【００７６】
また、ＬＥＤ光源部32aのＬＥＤ素子から放射される光の角度（いわゆる指向角）、つまりＬＥＤ素子の中心軸（ＬＥＤ素子の中心をとおり表面に対して直交する軸）を正面から見たときの明るさの範囲は、約５〜１４０度にできるが、その範囲はとくに限定されない。例えば、ＬＥＤ素子を上記のごとき構造とすれば、指向角を約１３５〜１４０度とすることができるので、ＬＥＤ光源部32aが広い指向性を有する。
【００７７】
以上のごとき構造とすれば、光源部３２を薄くかつ小型化することができるので、光源部３２の取付や交換などの取扱性を向上させることができる。しかも、光源部３２を交換するだけで、光源部３２に使用するＬＥＤの形状等を任意に選択することができる。
【００７８】
また、突出部２２の収容空間22hの厚みを薄くすることも可能となる。すると、従来よりも突出部２２の厚みを薄くできるので、本実施形態の照明付ドアセット１の外観をよりすっきりとさせることができるので、従来よりも見栄えがよくなるし、戸枠１０の形状の自由度を高くさせることができる。
【００７９】
なお、透光プレート４０を開口部24hに取り付ける方法はとくに限定されない。
例えば、図４に示すように、突出部２２の下壁２４の背面（収容空間22hに位置する面）において、長手方向の両端間を連結するように複数の支持プレート24a、24bを所定の間隔で設け、この支持プレート24a、24bに対して透光プレート４０を固定するように取り付けてもよい。この場合、突出部２２にある程度の衝撃が加えられても透光プレート４０が外れるのを確実に防止することができる。
【００８０】
また、透光プレート４０は、上述した支持プレート24a、24bに取り付けた状態において、透光プレート４０の表面が下壁２４の表面とほぼ面一になるように形成されているのが、好ましい。例えば、透光プレート４０を、その厚さが突出部２２の下壁２４の厚さと同一または若干小さくなるように形成する。すると、透光プレート４０の表面と下壁２４の表面がほぼ面一の状態となるので、本実施形態の照明付ドアセット１の外観をさらにすっきりとさせることができる。
【００８１】
なお、制御部３５には、人や照度、開閉回数などを検知する機能を有する検知センサー（例えば、人感センサーや、照度センサーなど）を設けていてもよい。具体的には、制御部３５には、検知センサーからの信号に基づいて、光源部３２に対して所望の制御信号を送信する機能を有するよう点灯などの信号を発信する機能を設ける。すると、通常時では、本実施形態の照明付ドアセット１の照明部３１は、一般的なセンサー付き照明としても使用することができるので、好適である。
【００８２】
また、電池33bとして二次電池を採用する場合、制御部３５は、受電部33aから光源部３２に供給される電力の一部を二次電池に供給する充電回路を備えているのが、好ましい。この場合、停電時では、常にフル充電された二次電池を使用することができるので、光源部３２を所定の時間確実に常時点灯させることができる。
なお、電池33bとして二次電池を採用する場合、制御部３５は、受電部33aから二次電池に供給される電力によって二次電池が過充電になるのを防止する機能を有するのが、好適である。
【００８３】
また、制御部３５は、光源制御部や停電検出部、開閉検出部などが板状の回路基板上に形成された構造を採用することができる。回路基板の構造はとくに限定されないが、例えば、１〜２ｍｍ程度の薄型回路基板を採用することが好ましい。
例えば、図４に示すように、薄型回路基板を使用すれば、制御部３５をより薄くできるので、収容空間22hに照明部３１を収容した状態において、制御部３５と透光プレート４０との間に電源部３３を配設することができる。
なお、各回路は、一の基板上に多層構造に各回路が形成された多層構造型基板を採用してもよい。かかる基板を使用すれば、多数の制御回路等を備えた制御部３５を形成することが可能となる。
【００８４】
（信号発信部について）
本実施形態の照明付ドアセット１の照明手段３０が、戸２の状態に対応した状態信号を送信する機能を有する戸状態検出部と、戸２に対して室外側の領域に向かって状況信号を発信する信号発信部と、を備えていてもよい。
また、照明手段３０が戸状態検出部と信号発信部とを備えている場合には、制御部３５が、戸状態検出部から送信された状態信号に基づいて照明手段３０の信号発信部を制御する機能を有する信号発信制御部を備えているのが、好ましい。
【００８５】
具体的には、以下のように信号発信部を作動させて状況信号を発信させることができる。
戸状態検出部は、戸２を開閉させたときの状態を検知し、かつ検知した信号を制御部３５の信号発信制御部に送信する機能を有する。制御部３５の信号発信制御部は、戸状態検出部から送信された信号に基づいて信号発信部に対して信号発信部の作動を制御する制御信号を送信する。そして、制御部３５の信号発信制御部から送信された信号に応じて、信号発信から戸２の室外側の領域に向かって状況信号が発信される。状況信号として、例えば、光源から放射された光を発光信号や、音源から出される音信号などを採用することができる。
なお、戸状態検出部は、戸２を開閉させたときの状態を検知する機能を有していればとくに限定されないので、例えば、上述したような制御部３５の開閉検出部などを採用することも可能である。
【００８６】
この場合、戸２の開閉状態を検出した戸状態検出部から送信された状態信号に基づいて信号発信部が作動するので、人の移動状況を信号発信部によって確認できる。
【００８７】
とくに、信号発信部は、停電時に限定して作動する構成であるのが、好ましい。具体的には、制御部３５の信号発信制御部に、信号発信部に制御信号を送信するか否かを診断する診断機能を設ける。この診断機能とは、制御部３５の停電検出部から送信された状況信号に基づいて、平常時と停電時を診断するものである。そして、停電時と診断した場合には、上記のごとく信号発信部に対して信号発信部の作動を制御する制御信号を送信するので、戸２より室外側の領域に向かって発光信号などの状況信号を発信させることができる。すると、この信号発信部によって、室外の人は、室内の人の移動状況、例えば、室外への避難などを行なった否かを一瞬にして確認することができる。このため、マンション等の集合住宅では、各住戸の外部から避難状況を一瞬にして把握できるので、救助隊員等は救助等が必要な住戸に迅速に向かうことができる。
【００８８】
とくに、上枠２０内に発信信号部が設けられているのが、好ましい。
例えば、図８（Ａ）に示すように、上枠２０のフレーム本体部２１の表面を形成する壁（以下、表面壁という）に、戸２を閉じた状態において、戸２の上端部上面と略同じ大きさの開口が下方に向かって形成する。そして、この形成された開口に、上述した透光プレート４０と同様の構造を有する室外透光部４６が取り付けられた構造とする。すると、室外透光部４６の光放出部に対して入射される光として、光源部３２から放射された光を利用することができる。
【００８９】
具体的には、図８（Ａ）に示すように、上枠２０のフレーム本体部２１内に、光源部３２を、放射された光が下方に向かって放射されるように取り付ける。そして、上枠２０のフレーム本体部２１内に光源部３２を取り付けた状態において、かかる光源部３２から放射された光が突出部２２に取り付けられた透光プレート４０の光放出部から所望の状態で放出されるように、フレーム本体部２１と突出部２２を連結する。例えば、図８（Ａ）に示すように、フレーム本体部２１の内部空間と突出部２２の収容空間22hが連通するように両者を一体形成して形成することができる。
【００９０】
すると、図８（Ａ）に示すように、光源部３２から放射された光のうち、突出部２２の透光プレート４０側に向かって放射された光は、透光プレート４０の光放出部から放出されて戸２に対して室内側の領域を照らしだすことができる。
一方、光源部３２から放射された光のうち、室外透光部４６側に向かって放射された光は、室外透光部４６の光放出部から放出されて、戸２より室外側の領域を照らしだすことができる。つまり、光源部３２を発信信号部の構成部材として利用することができるのである。言い換えれば、室外透光部４６と、光源部３２と、によって上記信号発信部が構成することができるのである。そうすると、信号発信部を設けるための特別な構造も不要となるので、構造を簡単にすることができる。
【００９１】
なお、図８（Ｂ）に示すように、上枠２０のフレーム本体部２１の表面壁に取り付けられた室外透光部４６の上方、つまり、フレーム本体部２１内に照明部３１の光源部３２とは別の光源３９を設けてもよい。この場合、光源３９をフレーム本体部２１内に設けるだけでよいので、構造をより簡単にすることができる。しかも、光源部３２の配置にかかわらず光源３９の配置する位置を自由に設定することができる。
【００９２】
また、図８（Ｃ）に示すように、上枠２０のフレーム本体部２１の室外側の側端部を室外側方向に向かって延ばした構造としてもよい。この場合、室外透光部４６を戸２の室外側の面に対してより離れたフレーム本体部２１の表面壁に形成することができる。すると、室外透光部４６の光放出部から放出される光によって、戸２より室外側の領域をより明るく照らしだすことができるので、よりはっきりと状況信号を外部に送信することができる。
【００９３】
（引戸タイプの照明付ドアセット１Ｂの説明）
上記例では、戸２を一の側端部を支点として水平方向に揺動させることによって戸２を開閉する開戸タイプの照明付ドアセット１について説明したが、上述したように戸２の開閉方法は、開戸タイプに限定されず、引戸タイプを採用してもよい。
以下、引戸タイプを採用した本実施形態の照明付ドアセット１Ｂについて説明する。
【００９４】
図１０に示すように、照明付ドアセット１Ｂは、天井からの下り壁に取り付けられた上枠５０と、この上枠５０に吊り下げられ、かつこの上枠５０の長手方向の軸に沿って水平方向（図１０では左右方向）に移動するように設けられた戸２と、上枠５０に設けられた照明手段３０と、を備えている。
なお、上枠５０に設けられた照明手段３０は、開戸タイプの照明付ドアセット１に設けられたものと実質的に同様の構成である。また、開戸タイプの照明付ドアセット１と実施的に同様の構成の部分については、説明を適宜割愛する。
【００９５】
図１１に示すように、上枠５０は、内部に中空な空間を有し、かつ、軸方向に沿って連続した開口64cが下面に形成された矩形状の部材である。この上枠５０は、後述する戸２に連結した吊り部材５２を保持する上枠フレーム５１と、この上枠フレーム５１の下方に位置する突出部６２と、を備えている。
上枠フレーム５１には、その内部に板状の部材によって断面略Ｌ字状に形成されたレール部材51aが設けられている。このレール部材51aは、その長手方向の軸が上枠５０の長手方向の軸（図１０では左右方向）と並行になるように上枠フレーム５１の一の内壁に連結するように取り付けられている。
なお、このレール部材51aは、後述する戸２の上端部に連結した吊り部材５２を保持する部材である。
【００９６】
図１１に示すように、突出部６２は、上枠フレーム５１の表面に連結した上壁６３と、この上壁６３の下方に設けられた下壁６４と、上壁６３と下壁６４の間に配設された室外側壁６５および室内側壁６６と、を備えており、隣接する各壁の端部同士が連結されている。つまり、突出部６２は、その内部に上壁６３と下壁６４と室外側壁６５および室内側壁６６で囲まれた中空な空間（以下、収容空間62hという）を有しているのである。そして、下壁６４は、上述したようにその長手方向に沿って連続した開口64cが形成されている。
【００９７】
また、図１１に示すように、突出部６２の下壁６４のうち室内側の下壁64aには、内部と外部とを連通する開口部が形成されている。この開口部は、その形状が略長方形であり、その長手方向の軸が突出部６２の長手方向（図１１では、紙面に対して垂直方向）の軸と略平行になるように形成されている。
そして、図１１に示すように、下壁64aに形成された開口部には、この開口部を塞ぐように光を透過する部材で形成された透光プレート４０が設けられている。
なお、この透光プレート４０は、開戸タイプの照明付ドアセット１に設けられたものと実質的に同様の構成である（図８参照）。
【００９８】
戸２は、上述したように上端部に連結した吊り部材５２によって、上枠フレーム５１のレール部材51aに吊り下げられた状態で取り付けられている。この吊り部材５２は、その基端部が戸２の上端部に連結したブラケット52aと、このブラケット52aの先端部近傍に連結した車輪52bとから形成されている。つまり、戸２には、その上端部にブラケット52aを介して車輪52bが設けられている。
このため、上枠５０の長手方向の軸に沿って戸２をスムースに左右方向に開閉することができる。
なお、戸２は、その上端と下端の長さ、つまり縦の距離が突出部６２の下面と床面との距離と同等または若干短くなるように形成されている。
【００９９】
図１０に示すように、照明手段３０は、上述した上枠５０に設けられており、照明付ドアセット１Ｂを住戸等に配設した状態において、照明部３１に設けられた３２から放射された光が戸２の片側の面に対して照射されるように、言い換えれば、放射された光によって室内側（図１１では戸２に対して右側）の領域を照らしだすように上枠５０に設けられている。
【０１００】
以上のごとき構造であるので、照明付ドアセット１Ｂを住戸等に配設した状態において、上枠５０に設けられた照明部３１の光源部３２から放射された光によって、戸２の片側の面および戸２に対して室内側の領域を照らしだすことができる。このため、戸２を閉じた状態において、光源部３２から光が放出されれば、その光によって、上枠５０の近傍に位置する戸２の室内側の面を、その上端部から下方に向かって照らしださすことができる。つまり、戸２の室内側の面および戸２に対して室内側の領域を照らしだすことができるのである。
しかも、開戸タイプの照明付ドアセット１において説明したように、停電時では、光源部３２が、制御部３５によって常時点灯した状態を維持するように制御されている。
したがって、停電時には、上枠５０に設けられた照明部３１の光源部３２から放射された光によって戸２の室内側の領域が照らしだされた状態に維持されるので、周囲が急に真っ暗な状況になっても、人は戸２の位置および戸２全体を確実に視認できる。そうする、照明付ドアセット１Ｂの照明手段３０の照明部３１が避難誘導灯として機能するので、人は安全確保等のため室外へ移動するなどの避難行動を迅速かつスムースに行うことができる。
【０１０１】
また、透光プレート４０を突出部６２の下壁64aに形成した場合、開戸タイプの照明付ドアセット１に設けられたものと実質的に同様の構成であるので、その作用および効果も開戸タイプの照明付ドアセット１で説明したものと同等の効果を有する。
【０１０２】
なお、突出部６２の室外側の下壁64bに、開戸タイプの照明付ドアセット１の室外透光部４６と同様の構成を有する室外透光部が設けられているのが、好ましい。この場合、光源部３２から放射された光のうち、突出部６２の透光プレート４０側に向かって放射された光は、透光プレート４０の光放出部から放出されて戸２に対して室内側の領域を照らしだすことができる。
【０１０３】
一方、光源部３２から放射された光のうち、室外透光部側に向かって放射された光は、室外透光部の光放出部から放出されて、戸２より室外側の領域を照らしだすことができる。つまり、光源部３２を発信信号部の構成部材として利用することができるのである。言い換えれば、室外透光部と、光源部３２と、によって開戸タイプの照明付ドアセット１で説明した場合と同様に信号発信部が構成することができるのである。そうすると、信号発信部を設けるための特別な構造も不要となるので、構造を簡単にすることができる。
【０１０４】
なお、戸２を閉じた状態において、光源部３２から放射された光がブラケット52aによって遮蔽されると、光が室外透光部に到達しない。しかし、複数のブラケット52aを所定の間隔を開けて戸２の上端部に設けた構造を採用すれば、戸２を閉じた状態においても隣接するブラケット52a間を通して光源部３２から放射された光を下壁64bに設けられた室外透光部に到達させることができる。なお、光源部３２から放射された光を室外透光部に到達させる構造は、とくに限定されない。例えば、連続するブラケット52aに突出部６２の内部空間62hの室内側（図１１では戸２に対して右側）と室外側（図１１では戸２に対して左側）を連通する開口を形成すれば、この開口を通して光源部３２から放射された光を室外透光部に到達させることができる。
【０１０５】
また、図１１に示すように、ブラケット52aの先端部にフランジ状の係止部が形成されていてもよい。すると、かかる係止部によって、吊り部材５２の車輪52bがレール51a上面から脱輪するのを防止することができる。
【産業上の利用可能性】
【０１０６】
本発明の照明付ドアセットは、停電などの緊急時に避難誘導灯として使用される照明機能を有する照明付ドアセットとして適している。
【符号の説明】
【０１０７】
１        照明付ドアセット
２        戸
１０      戸枠
２０      上枠
２１      フレーム本体部
２２      突出部
２２ｈ    収容空間
２４ｈ    開口部
３０      照明手段
３１      照明部
３２      光源部
３３      電源部
３５      制御部
４０      透光プレート
【図１】
2013185360.tif 000003
【図２】
2013185360.tif 000004
【図３】
2013185360.tif 000005
【図４】
2013185360.tif 000006
【図５】
2013185360.tif 000007
【図６】
2013185360.tif 000008
【図７】
2013185360.tif 000009
【図８】
2013185360.tif 000010
【図９】
2013185360.tif 000011
【図１０】
2013185360.tif 000012
【図１１】
2013185360.tif 000013